(57)【要約】【課題】共用操作棒のみで落下させることなく電線に着脱させることのできる電線被覆剥取器を提供すること。【解決手段】電線に引っ掛けた状態にする本体上部２１と、該本体上部に対して接離することにより電線をその間で挟持あるいは解放する可動部１３と、該可動部の本体上部に対する接離方向を軸方向にして相対回転することにより該本体上部に対して当該可動部を接離させる主軸と、可動部と同一方向に移動して電線の被覆に切り込んで該被覆を剥ぎ取る切断刃と、遠隔位置から引掛道具を引っ掛けて牽引操作することにより電線の周囲を周回させるための係合リング１５ａと、主軸端部に設けられる共用操作棒の先端側に着脱するための各種先端工具が共通に備えるジョイント構造部４５と、を具備する。【選択図】図１
2012165508.tif 000002
【特許請求の範囲】
【請求項１】
電線に引っ掛けた状態にする引掛部と、該引掛部に対して接離することにより前記電線を当該引掛部の間で挟持あるいは解放する接離部と、該接離部の前記引掛部に対する接離方向を軸方向にして相対回転することにより該引掛部に対して当該接離部を接離させるネジ構造部と、前記接離部と同一方向に移動して前記電線の被覆に切り込んで該被覆を剥ぎ取る切断刃と、遠隔位置から引掛道具を引っ掛けて牽引操作することにより前記電線の周囲を周回させるための被引掛部と、共用操作棒の先端側に着脱するための各種先端工具が共通に備える前記ネジ構造部の端部のジョイント構造部と、を具備することを特徴とする電線被覆剥取器。
【請求項２】
前記被引掛部は、前記ジョイント構造部の外面にも設けられて、前記引掛道具の棒状の先端部を差し込んで引っ掛ける環状の内周面を有する引掛穴が形成されていることを特徴とする請求項１に記載の電線被覆剥取器。
【請求項３】
前記被引掛部に加えて、あるいは、該被引掛部に代えて、遠隔位置から係合する押し道具から前記電線の周囲の周回方向に向かう押し力を受け取る被係合部を備えることを特徴とする請求項１または２に記載の電線被覆剥取器。
【請求項４】
前記電線の周囲の周回方向に向かう力を受ける受圧面が当該周回面内に位置することを特徴とする請求項１から３のいずれかに記載の電線被覆剥取器。
【請求項５】
前記ネジ構造部と前記ジョイント構造部は別部材に構成されており、
前記ネジ構造部の端部には前記被引掛部が形成される一方、
前記ジョイント構造部は前記ネジ構造部の端部を相対回転不能に連結する連結部を備えることを特徴とする請求項１から４のいずれかに記載の電線被覆剥取器。
【発明の詳細な説明】
【技術分野】
【０００１】
本発明は、電線被覆剥取器に関し、詳しくは、電線に容易に引っ掛けることを実現するものに関する。
【背景技術】
【０００２】
電線を分岐などさせるときに、絶縁性を確保しつつ遠隔位置から作業する間接活線工法を採用する場合には、その電線に電線被覆剥取器を引っ掛けた状態にして切断刃を被覆に切り込ませつつ周回させることにより、電線の導通線周りから被覆を剥ぎ取って露出させる作業が行われている。
【０００３】
この電線被覆剥取器は、ヤットコ（絶縁把持道具）で把持して遠隔位置の電線に引っ掛ける状態を維持しつつ、絶縁操作棒の先端に取り付けたフックを引っ掛けて回転操作することにより電線に取り付ける作業を行う必要があり、さらに、その絶縁操作棒先端のフックを引っ掛け用リングに引っ掛けつつ牽引することによりその電線周りに周回させるようになっている（例えば、特許文献１、２）。
【０００４】
このうちの特許文献１に記載の電線被覆剥取器では、フックを引っ掛ける位置を増やして周回作業をやり易く工夫することが提案されており、特許文献２に記載の電線被覆剥取器では、電線に容易に引っ掛けることを可能にするのと同時に不用意に外れてしまうことがないように引っ掛け箇所にカバーを取り付けることが提案されている。
【先行技術文献】
【特許文献】
【０００５】
【特許文献１】特開２０１０−  ２２１８２号公報
【特許文献２】特開２００９−２８４７２２号公報
【発明の概要】
【発明が解決しようとする課題】
【０００６】
しかしながら、このような電線被覆剥取器にあっては、絶縁把持道具のヤットコと共に絶縁操作棒を同時に操作することから、相当の腕力と共に熟練が必要であり、また、ヤットコは挟み込む形態で把持する道具であることから、ずれるなどすると、外れてしまって落下させてしまう恐れがあるので、より一層の緊張を伴う作業が強いられていた。
【０００７】
そこで、本発明は、共用操作棒のみで落下させることなく電線に着脱させることのできる電線被覆剥取器を提供することを目的としている。
【課題を解決するための手段】
【０００８】
上記課題を解決する電線被覆剥取器の発明の一態様は、電線に引っ掛けた状態にする引掛部と、該引掛部に対して接離することにより前記電線を当該引掛部の間で挟持あるいは解放する接離部と、該接離部の前記引掛部に対する接離方向を軸方向にして相対回転することにより該引掛部に対して当該接離部を接離させるネジ構造部と、前記接離部と同一方向に移動して前記電線の被覆に切り込んで該被覆を剥ぎ取る切断刃と、遠隔位置から引掛道具を引っ掛けて牽引操作することにより前記電線の周囲を周回させるための被引掛部と、共用操作棒の先端側に着脱するための各種先端工具が共通に備える前記ネジ構造部の端部のジョイント構造部と、を具備することを特徴とするものである。
【０００９】
この発明の態様では、共用操作棒の先端にジョイント構造部により取り付けた後に、遠隔位置の電線に引掛部を引っ掛けつつその共用操作棒と共にネジ構造部を回転させて接離部との間で電線を挟持して内装する状態に取り付けることができる。この後には、共用操作棒の先端からジョイント構造部により容易に取り外して電線の周囲を周回させることができ、その電線の被覆を切断刃が切断して導通線から剥ぎ取ることができる。さらに、この電線の被覆を剥ぎ取る作業の後には、ジョイント構造部により容易に共用操作棒の先端に再度取り付けてネジ構造部を回転させるだけで回収することができる。
【発明の効果】
【００１０】
このように本発明の一態様によれば、ヤットコなどのような把持道具による不安定な状態での作業を不要にして、ジョイント構造部により確実に共用操作棒の先端に連結し遠隔位置の電線に引っ掛ける作業を行うことができる一方、回収する作業も容易に行うことができる。この共用操作棒の先端への着脱は、ジョイント構造部に対して相対回転させるだけで容易に行うことができる。したがって、遠隔位置の電線に対して処理する作業でも、落下させる恐れを少なくすることができ、腕力や熟練を必要とすることなく、また、不必要に緊張することなく、一本の共用操作棒のみを操作するだけで完了することができる。
【図面の簡単な説明】
【００１１】
【図１】本発明に係る電線被覆剥取器の第１実施形態を示す図であり、（ａ）はその全体構成を示す正面図、（ｂ）はその側面図である。
【図２】その要部構成を示す図であり、（ａ）はその拡大正面図、（ｂ）はその拡大側面図である。
【図３】作業する際に利用する絶縁操作棒を示す平面図である。
【図４】作業する際に利用するフックを示す平面図である。
【図５】本発明に係る電線被覆剥取器の第２実施形態の要部構成を正面図である。
【図６】本発明に係る電線被覆剥取器の第３実施形態の要部構成を正面図である。
【図７】その本体部を構成する汎用の電線被覆剥取器を示す図であり、（ａ）はその全体構成を示す正面図、（ｂ）はその側面図である。
【発明を実施するための形態】
【００１２】
本発明の態様としては、上記の課題解決手段のように、電線に引っ掛けた状態にする引掛部と、該引掛部に対して接離することにより前記電線を当該引掛部の間で挟持あるいは解放する接離部と、該接離部の前記引掛部に対する接離方向を軸方向にして相対回転することにより該引掛部に対して当該接離部を接離させるネジ構造部と、前記接離部と同一方向に移動して前記電線の被覆に切り込んで該被覆を剥ぎ取る切断刃と、遠隔位置から引掛道具を引っ掛けて牽引操作することにより前記電線の周囲を周回させるための被引掛部と、共用操作棒の先端側に着脱するための各種先端工具が共通に備える前記ネジ構造部の端部のジョイント構造部と、を具備することを基本構成とするのに加えて、次の構成を備えてもよい。
【００１３】
第１の他の態様としては、前記被引掛部は、前記ジョイント構造部の外面にも設けられて、前記引掛道具の棒状の先端部を差し込んで引っ掛ける環状の内周面を有する引掛穴が形成されていてもよい。
【００１４】
この態様では、引掛部を電線に引っ掛けて接離部との間で挟持・内装する状態にして共用操作棒を外した後には、その共用操作棒を連結するジョイント構造部外面に設けられている被引掛部にフックなどを引っ掛けて牽引操作することにより電線周りを周回させる作業を行うことができる。したがって、牽引操作する箇所を確保して容易に作業をすることができる。
【００１５】
第２の他の態様としては、前記被引掛部に加えて、あるいは、該被引掛部に代えて、遠隔位置から係合する押し道具から前記電線の周囲の周回方向に向かう押し力を受け取る被係合部を備えていてもよい。
【００１６】
この態様では、電線周りを周回させる作業を被引掛部の牽引・操作だけでなく、被係合部を押す操作をしてもすることができる。したがって、電線周りを周回させる作業をより容易にすることができる。
【００１７】
第３の他の態様としては、前記電線の周囲の周回方向に向かう力を受ける受圧面が当該周回面内に位置するようにしてもよい。
【００１８】
この態様では、電線周りを周回させる作業を行う際に被引掛部や被係合部を牽引操作や押し操作を受ける受圧面がその周回面内に位置するので、斜め方向に押されるなどしてネジ構造部が回転してしまうことにより引掛部と接離部との間に電線を挟み込んで内装する状態を緩めてしまうことがない。したがって、信頼性高く電線周りを周回させる作業を行うことができる。
【００１９】
第４の他の態様としては、前記ネジ構造部と前記ジョイント構造部は別部材に構成されており、前記ネジ構造部の端部には前記被引掛部が形成される一方、前記ジョイント構造部は前記ネジ構造部の端部を相対回転不能に連結する連結部を備えていてもよい。
【００２０】
この態様では、既存のネジ構造部の端部の被引掛部に連結部を連結してジョイント構造部を備えることができる。したがって、汎用の電線被覆剥取器にジョイント構造部を取り付けて本発明を構成させることができる。
【００２１】
以下、図面を参照して、本発明の実施形態について詳細に説明する。図１〜図４は本発明に係る電線被覆剥取器の第１実施形態を示す図である。
【００２２】
図１において、電線被覆剥取器１０は、縦断面形状を縦長のコの字形状に形成されている本体部１２と、この本体部１２のコの字内に内装されて上下動する可動部１３と、この可動部１３を上下動させる調整機構１４と、を組み立てることにより構築されている。
【００２３】
本体部１２は、コの字形状の上部に位置する本体上部２１と、その下部に位置する本体下部２２と、これら本体上部２１と本体下部２２の一端側を連結するように側方に位置する本体側部２３と、を備えている。
【００２４】
この本体部１２の本体上部２１は、本体側部２３側の下面で幅方向に延在する円弧溝２１ａが形成されている。これにより、本体部１２は、電柱などに架線させている遠隔位置の電線を本体側部２３の反対側から本体上部２１の下方内に挿し込んで平行状態になるように位置させることにより、その本体上部２１の円弧溝２１ａ内にその電線の一部を収装する状態にして引っ掛けた状態にすることができる。すなわち、この本体上部２１が引掛部を構成している。
【００２５】
可動部１３は、本体部１２の本体上部２１と本体下部２２の間に位置して調整機構１４により上下動されるベース部材３１と、このベース部材３１の両側方に連設されている側面板３２により本体側部２３の背面側に位置するように支持されている背面バー３３と、を備えている。
【００２６】
また、調整機構１４は、可動部１３のベース部材３１の下面に回転自在に連結されて外周面側に雄ネジ山４１ａを刻設されている主軸４１と、本体下部２２の上下方向に貫通する不図示の貫通穴に隣接するように固設されてその貫通穴に挿通される主軸４１の雄ネジ山４１ａを螺合させる雌ネジリング４２と、主軸４１の下部に相対回転不能に連結されて図３に示す絶縁操作棒（共用操作棒）１００の先端部を差込可能に円筒形状に形成されているジョイント構造部４５と、を備えている。
【００２７】
これにより、可動部１３は、調整機構１４のジョイント構造部４５を絶縁操作棒１００の先端に相対回転不能に連結することにより、遠隔位置の電線を本体部１２の本体上部２１の円弧溝２１ａ内に収装して引っ掛けた状態で位置決めすることができる。この後に、可動部１３は、その絶縁操作棒１００（ジョイント構造部４５）と共に雌ネジリング４２に螺合する主軸４１を回転させて上下動させることができ、その主軸４１の上部に連設されているベース部材３１を背面バー３３により本体側部２３から離隔することを制限しつつ本体上部２１に接離させて電線を内装する離脱不能状態に取り付け、また、その電線から離脱可能な離隔状態にすることができる。すなわち、この可動部１３が接離部を構成している。
【００２８】
ここで、ジョイント構造部４５は、汎用の絶縁操作棒１００の先端部に着脱する各種先端工具が備える共通の構造に作製されており、円筒形状の対面する周面のそれぞれが概略Ｔ字形状に切り欠かれて開口することにより、後端面（絶縁操作棒１００）側から先端側に向う差込切欠部４６と、この差込切欠部４６の直交方向の両側に連続するように屈曲する係合切欠部４７と、が一対形成されている。これに対して、絶縁操作棒１００は、円柱形状の先端部の互いに反対側となる側面に突起形状に一対立設されることによりそのジョイント構造部４５の２箇所の切欠部４６、４７内に挿し込んで係合させることのできるピン１０１と、先端部の先端面に配設されて不図示の内蔵スプリングにより突出方向に付勢されている突起１０２と、先端部の側面に刻設されている不図示のネジ形状に螺合して進退可能なグリップ１０３と、滑り難い材質の取替え可能な滑り止が施されて作業員の把持する基端部側の把持部１０４と、を備えている。
【００２９】
これにより、絶縁操作棒１００は、先端部を電線被覆剥取器１０のジョイント構造部４５内に差し込んで突起１０２を内蔵スプリングの弾性力に抗して沈ませつつ、ピン１０１の双方を切欠部４６、４７内に進入させて回転させた後に、その進入させる力を解放すると、突起１０２がスプリングの弾性力により突出してジョイント構造部４５を押し出すことにより、その係合切欠部４７から屈曲する係合溝４７ａ内にピン１０１を離脱不能に係合させることができる。したがって、電線被覆剥取器１０は、絶縁操作棒１００の先端部に連結して遠隔位置の電線に引っ掛けることができ、その絶縁操作棒１００を回転させるだけでそのまま電線に容易に取り付けることができる。
【００３０】
逆に、この絶縁操作棒１００は、電線被覆剥取器１０のジョイント構造部４５に連結された後でもそのジョイント構造部４５内に先端部を押し込んで突起１０２を内蔵スプリングの弾性力に抗して沈ませることにより係合切欠部４７の係合溝４７ａからピン１０１を離脱させることができ、その状態を維持したまま回転させることによりピン１０１の双方を切欠部４６、４７内から離脱させて引き抜くことができる。したがって、電線被覆剥取器１０は、絶縁操作棒１００の先端部から外して遠隔位置の電線にしっかりと引っ掛けた状態に取り付けることができる。
【００３１】
さらに、絶縁操作棒１００は、先端部を遠隔位置の電線に取り付けられている電線被覆剥取器１０のジョイント構造部４５内に差し込んで同様に操作することによっても離脱不能に係合させることができ、そのまま回転させるだけで電線から離脱可能な状態にして容易に回収することができる。
【００３２】
なお、この絶縁操作棒１００は、中間部分に傘カバー１０５、１０６が取り付けられているとともに、全体をプラスチックなどの絶縁材料で作製されることにより絶縁性が確保されており、先端側の傘カバー１０５が電線被覆剥取器１０側からの水分を滴下させるとともに、基端側の傘カバー１０６が安全に作業を行い得る限界位置を示して、作業する際の安全を確保している。
【００３３】
さらに、可動部１３は、図２に示すように、ベース部材３１の両側方に連設されている側面板３２の間の空間に、その側面板３２の双方の内面近傍まで延在して本体部１２の本体側部２３に対面する主刃３４がそのベース部材３１にネジ止めされており、その主刃３４の両端辺と側面板３２との間にはその側面板３２と平行な補助刃３５がベース部材３１にネジ止めされている。この主刃３４は、可動部１３が調整機構１４により本体部１２の本体上部２１に接近すると、その本体上部２１の円弧溝２１ａ内に収装されて位置決めされている電線の被覆の本体側部２３から離隔する側に平行に切れ込むように設置されている。また、補助刃３５は、可動部１３が調整機構１４により本体部１２の本体上部２１に接近すると、その主刃３４の両側で、同時に、その電線の被覆に周方向（直交方向）に切り込むように設置されている。
【００３４】
また、この可動部１３の側面板３２は、本体部１２の本体上部２１の円弧溝２１ａの両側に対応する箇所の端辺３２ａが主刃３４と補助刃３５よりも高くなるように延長されており、その円弧溝２１ａに対応する位置が電線を収装可能な幅のＵ字形状に切り欠かれた収装溝３２ｂを形成する。これに対して、その本体部１２の本体上部２１は、円弧溝２１ａ内に収装して位置決めする電線の被覆のみに、可動部１３の主刃３４と補助刃３５が切り込んでそれ以上に上昇することを制限するストッパ溝２５を有しており、主刃３４と補助刃３５が電線の被覆に切り込み過ぎて導通線を傷つけてしまうことがないようになっている。すなわち、主刃３４が第３切断刃を構成する一方、補助刃３５が第１、第２切断刃を構成している。なお、図中、３６は、側面板３２の外方に取り付けられているストッパであり、このストッパ３６は、ネジ３７で取り付けられているスプリング３８により側面板３２に押し付けられることにより、収装溝３２ｂ内に進退可能に保持されており、主刃３４や補助刃３５が不用意に電線の被覆に切り込まないように設けられている。
【００３５】
一方、本体部１２は、本体上部２１の上側（円弧溝２１ａの背面側）と、本体上部２１の円弧溝２１ａの反対側（本体側部２３の背面側）の２箇所に回動レバー１５が立設されており、この回動レバー１５の先端側には、絶縁操作棒１００先端に先端工具として連結する図４に示すフック２１０を差込・係合可能に係合リング１５ａが固設されている。この回動レバー１５は、電線被覆剥取器１０の電線周りの周回面内に位置するように本体上部２１に配設されており、その係合リング１５ａも円形が周回面内に一致するように形成されている。すなわち、この係合リング１５ａは、後述するようにフック２１０により牽引・押し上げされる受圧面が電線被覆剥取器１０の電線周りの周回面内に位置して、斜め方向に牽引などされてずれることがないように設定されている。
【００３６】
ここで、フック２１０は、図４に示すように、鉤の手部２１１および横棒部２１２を備えており、この鉤の手部２１１および横棒部２１２の基端部側には、絶縁操作棒１００の先端部を差込可能にジョイント構造部４５が連設されている。
【００３７】
これにより、フック２１０は、ジョイント構造部４５により絶縁操作棒１００の先端部に取り付けることができる。また、この絶縁操作棒１００では、グリップ１０３を回転させてジョイント構造部４５側に寄せることによりピン１０１がジョイント構造部４５の係合溝４７ａ内から離脱して回転しないようにロックすることができ、フック２１０が相対回転して外れてしまうことを信頼性高く防止して取り扱い易くすることができる。すなわち、係合リング１５ａが被引掛部・被係合部を構成する一方、フック２１０の鉤の手部２１１が引掛道具を構成して、横棒部２１２が押し道具を構成している。
【００３８】
したがって、電線被覆剥取器１０は、電線を本体部１２の本体上部２１の円弧溝２１ａ内に収装して引っ掛けた状態で位置決めした後に、可動部１３を本体上部２１に接近させる方向に上昇させると、可動部１３の側面板３２の端辺３２ａ間の収装溝３２ｂ内に電線を収装することができる。このとき、可動部１３は、電線の被覆に主刃３４と補助刃３５を切り込ませるとともに、側面板３２の端辺３２ａをストッパ溝２５の底面（天井）２５ａに突き当てて主刃３４と補助刃３５が電線の被覆のみに切り込む位置で衝止させる。
【００３９】
この後に、電線被覆剥取器１０は、回動レバー１５の係合リング１５ａに、フック２１０の鍵の手部２１１を引っ掛けて下方に牽引したり、そのフック２１０の横棒部２１２を挿し込んで上昇させるなどすることにより、本体上部２１の円弧溝２１ａに位置決めされている電線の被覆に可動部１３の主刃３４と補助刃３５を切り込ませた状態のまま、導通線を傷つけることなく、その電線の周囲を周回させることができ、その導通線周りの被覆を剥ぐことができる。
【００４０】
このように本実施形態においては、ヤットコなどのような把持道具で電線被覆剥取器１０を不安定な状態で把持しつつ絶縁操作棒１００を操作することを不要にして、絶縁操作棒１００のみを操作して電線被覆剥取器１０を電線に着脱するとともに、その絶縁操作棒１００をフック２１０と共に共通に利用して電線から被覆を剥ぐ作業も行うことができる。したがって、遠隔位置の電線の被覆を剥ぐ作業を電線被覆剥取器１０を落下させる恐れなく容易に完了することができ、腕力や熟練を必要とすることなく、また、不必要に緊張することなく、一本の絶縁操作棒１００のみを操作するだけで完了することができる。
【００４１】
次に、図５は本発明に係る電線被覆剥取器の第２実施形態を示す図である。ここで、本実施形態は、上述実施形態と略同様に構成されているので、同様の構成には同一の符号を付して特徴部分を説明する（以下で説明する他の実施形態においても同様）。
【００４２】
図５において、電線被覆剥取器１０のジョイント構造部４５は、円筒形状の側面の中心軸を中心にする対称位置にも一対の係合リング１５ａが固設されており、この係合リング１５ａは、電線被覆剥取器１０の電線周りの周回面内に円形が位置するように形成されている。
【００４３】
これにより、電線被覆剥取器１０は、回動レバー１５端部の係合リング１５ａに加えて、主軸４１端部の一対の係合リング１５ａもフック２１０により牽引・押し上げして電線周りを周回させることができ、このとき、ジョイント構造部４５は、係合リング１５ａの牽引操作などにより主軸４１を回転させる回転力が加えられて電線への取り付け状態を緩めてしまうことはない。
【００４４】
このように本実施形態においては、上述実施形態による作用効果に加えて、フック２１０による牽引操作などを、回動レバー１５端部の係合リング１５ａに加えて、主軸４１端部の一対の係合リング１５ａを利用しても行うことができ、回動レバー１５端部の係合リング１５ａが操作し難い位置にあるときも容易に電線被覆剥取器１０を電線周りに周回させてその被覆を剥ぐ作業を迅速に完了することができる。
【００４５】
本実施形態の他の態様としては、図示することは省略するが、ジョイント構造部４５の係合リング１５ａは一方のみにしてもよく、電線被覆剥取器１０の電線周りの周回作業時に頻繁に利用する牽引する側に配設するようにしてもよい。
【００４６】
次に、図６および図７は本発明に係る電線被覆剥取器の第３実施形態を示す図である。
図６において、電線被覆剥取器１０のジョイント構造部４５は、図７に示す汎用品の電線被覆剥取器３００の調整機構１４の主軸４１端部の縦ハンドル３４３に、保持ブロック５１を固設することにより具備するようになっている。すなわち、保持ブロック５１が連結部を構成している。
【００４７】
ここで、この縦ハンドル３４３は、調整機構１４の主軸４１端部に相対回転不能に連結されて絶縁操作棒１００先端のフック２１０を差込・係合可能な円形穴３４３ａを備えており、電線被覆剥取器３００の電線への取付回収時のフック２１０による回転操作と共に、電線被覆剥取器３００の電線周りの周回操作を行い得るようになっている。
【００４８】
保持ブロック５１は、電線被覆剥取器３００の主軸４１下端部の縦ハンドル３４３を、上面５１ａ側に開口する差込穴（保持穴）５２内に相対回転不能に差込・収容して本体部１２を電線に引っ掛けることができる姿勢に保持するようになっており、その差込穴５２を貫通するボルト５３を縦ハンドル３４３の円形穴３４３ａに通して不図示のナットにより離脱不能に取り付けるようになっている。
【００４９】
これにより、電線被覆剥取器１０は、汎用の電線被覆剥取器３００に保持ブロック５１によりジョイント構造部４５を備えさせることができ、改造することなく、また、新規に作製することなく、利用することができる。
【００５０】
このように本実施形態においては、上述実施形態による作用効果を同様に得ることができ、汎用性高く実施することができる。
【産業上の利用可能性】
【００５１】
これまで本発明の一実施形態について説明したが、本発明は上述の実施形態に限定されず、その技術的思想の範囲内において種々異なる形態にて実施されてよいことは言うまでもない。
【符号の説明】
【００５２】
１０、３００……電線被覆剥取器      １２……本体部      １３……可動部      １４……調整機構      １５……回動レバー      １５ａ……係合リング      ２１……本体上部      ２１ａ……円弧溝      ３４……主刃      ３５……補助刃      ２２……本体下部      ２３……本体側部      ３６……ストッパ      ４１……主軸      ４１ａ……雄ネジ山      ４２……雌ネジリング      ４５……ジョイント構造部      ４６……差込切欠部      ４６……切欠部      ４７……係合切欠部      ４７ａ……係合溝      ５１……保持ブロック      ５２……差込穴      ５３……ボルト      １００……絶縁操作棒      １０１……ピン      １０２……突起      １０３……グリップ      １０４……把持部      １０５、１０６……傘カバー      ２１０……フック      ２１１……鍵の手部      ２１２……横棒部      ３４３……縦ハンドル      ３４３ａ……円形穴
【図１】
2012165508.tif 000003
【図２】
2012165508.tif 000004
【図３】
2012165508.tif 000005
【図４】
2012165508.tif 000006
【図５】
2012165508.tif 000007
【図６】
2012165508.tif 000008
【図７】
2012165508.tif 000009